(57)【要約】【課題】遊技機の遊技設置構造体への固定と貨物自動車に積載した複数の遊技機どうしの固定との双方への使用化を図る。【解決手段】遊技機枠１の上下横片２１；２２の左右側部に上下固定具２３；２４を上下横片２１；２２の外側面に備え、刺具２５；５５が回転され、突起２６が上突起収納凹部３２に保持され、突起５６が下突起収納凹部６２に保持されることで、上下固定具２３；２４の刺具２５；５５の尖端が上下横片２１；２２より突出して島の横桟または支持台に打ち込まれ、上下固定具２３；２４が遊技機枠１を島に固定する。また、複数の遊技機を貨物自動車の荷台に縦置きし、上横片２１より上方に突出した刺具２５の尖端が当板に打ち込まれることで、上固定具２３が複数の遊技機枠１どうしを固定する。上下固定具２３；２４が上下横片２１；２２の外側面に設けられることで、上下固定具２３；２４と上下横片２１；２２との相互の支持力が向上する。【選択図】        図１
2005058261.tif 000002
【特許請求の範囲】
【請求項１】
四角形な額縁状に形成された遊技機枠の上横片と下横片とに上下固定具を個別に備えた遊技機固定装置において、
遊技機枠の上横片に設けられた上固定具が、尖端の有る直線棒体の刺具と、刺具の中間部より径方向外側に突出した棒状の突起と、刺具の突起よりも下部を回転可能かつ上下移動可能に支持して上横片の外側面に取り付けられる支持躯体と、刺具を支持躯体に対し上方に付勢する弾性体と、支持躯体に取り付けられた押え体と、押え体に設けられて突起を上下方向に直線的に移動するとともに刺具の回転を規制する案内孔と、押え体に設けられて案内孔の上部に連接された上突起収納凹部とを備え、この上固定具の弾性体の弾力に抗して突起が案内孔と交差する格好で支持躯体と押え体との空間部に収納された場合は刺具の尖端が上横片の上面より上方に突出せず、この突起が支持躯体と押え体との空間部に収納された状態から刺具が回転操作され、突起が案内孔と出合うと、弾性体の弾力で突起が案内孔を下方から上方に移動するのに伴い、刺具の尖端が上横片の上面より上方に突出し、突起が案内孔を下方から上方に抜けた場合に刺具が回転操作され、突起が案内孔と交差する格好で上突起収納凹部に収納されることで、上記刺具の尖端が上横片の上面より上方に突出した格好が保持される一方、
遊技機枠の下横片に設けられた下固定具が、尖端の有る直線棒体の刺具と、刺具の中間部より径方向外側に突出した棒状の突起と、刺具の突起よりも上部を回転可能かつ上下移動可能に支持して下横片の外側面に取り付けられる支持躯体と、刺具を支持躯体に対し下方に付勢する弾性体と、支持躯体に取り付けられた押え体と、押え体に設けられて突起を上下方向に直線的に移動するとともに刺具の回転を規制する案内孔と、押え体に設けられて案内孔の上部に連接された下突起収納凹部とを備え、この下固定具の弾性体の弾力に抗して突起が案内孔と交差する格好で支持躯体と押え体との空間部に収納された場合は刺具の尖端が下横片の下面より下方に突出せず、この突起が支持躯体と押え体との空間部に収納された状態から刺具が回転操作され、突起が案内孔と出合うと、弾性体の弾力で突起が案内孔を上方から下方に移動するのに伴い、刺具の尖端が下横片の下面より下方に突出し、突起が案内孔を上方から下方に抜けた場合に刺具が回転操作され、突起が案内孔と交差する格好で下突起収納凹部に収納されることで、上記刺具の尖端が下横片の下面より下方に突出した格好が保持されることを特徴とする遊技機固定装置。
【請求項２】
四角形な額縁状に形成された遊技機枠の上横片または下横片に固定具を備えた遊技機固定装置において、
固定具が、尖端の有る直線棒体の刺具と、刺具の中間部より径方向外側に突出した棒状の突起と、刺具の突起よりも下部または上部を回転可能かつ上下移動可能に支持して遊技機枠の上横片または下横片の外側面に取り付けられる支持躯体と、刺具を支持躯体に対し上方または下方に付勢する弾性体と、支持躯体に取り付けられた押え体と、押え体に設けられて突起を上下方向に直線的に移動するとともに刺具の回転を規制する案内孔と、押え体に設けられて案内孔の上部または下部に連接された突起収納凹部とを備え、この固定具の弾性体の弾力に抗して突起が案内孔と交差する格好で支持躯体と押え体との空間部に収納された場合は刺具の尖端が上横片の上面より上方にまたは下横片の下面より下方に突出せず、この突起が支持躯体と押え体との空間部に収納された状態から刺具が回転操作され、突起が案内孔と出合うと、弾性体の弾力で突起が案内孔を下方から上方にまたは上方から下方に移動するのに伴い、刺具の尖端が上横片の上面より上方にまたは下横片の下面より下方に突出し、突起が案内孔を下方から上方にまたは上方から下方に抜けた場合に刺具が回転操作され、突起が案内孔と交差する格好で突起収納凹部に収納されることで、上記刺具の尖端が上横片の上面より上方にまたは下横片の下面より下方に突出した格好が保持されることを特徴とする遊技機固定装置。
【請求項３】
突起が刺具の外径方向の両側に設けられたことを特徴とする請求項１または請求項２記載の遊技機固定装置。
【請求項４】
上固定具の刺具が支持躯体より突出した下端部に刺具の外径より大きな外形の頭部を備えたことを特徴とする請求項１または請求項２記載の遊技機固定装置。
【請求項５】
下固定具の刺具が支持躯体より突出した上端部に刺具の外径より大きな外形の頭部を備えたことを特徴とする請求項１または請求項２記載の遊技機固定装置。
【請求項６】
支持躯体が上横片または下横片にねじで固定されたことを特徴とする請求項１または請求項２記載の遊技機固定装置。
【発明の詳細な説明】
【０００１】
【発明の属する技術分野】
本発明は、遊技機を遊技店の島と呼ばれる遊技設置構造体に設置する場合に遊技機を遊技設置構造体に固定したり、貨物自動車で運搬する場合に複数の遊技機どうしを固定したりする、遊技機固定装置に関する。
【０００２】
【従来の技術】
遊技機を遊技店の島と呼ばれる遊技設置構造体に設置する場合、遊技設置構造体の遊技機を載せる支持台と支持台より上方に設けられた横桟との間の空間に、遊技機を配置し、この遊技機における四角形な額縁状に形成された遊技機枠の上横片を遊技設置構造体の横桟にクランプ機構で挟み付けることで固定し、当該遊技機枠の下横片を遊技設置構造体の支持台にクランプ機構で挟み付けることで固定することが知られている（例えば、特許文献１参照）。また、遊技機製造会社から市販される遊技機を貨物自動車で運搬する場合、遊技機の下部が上となるように、遊技機の上下を逆さにして、複数の遊技機を貨物自動車の荷台に並べて搭載し、その上から当板を複数の遊技機の上に渡し、当板の上から各遊技機の当板と接触する下部に釘を打ち付けることによって、複数の遊技機が倒れないように固定している（例えば、特許文献２参照）。
【０００３】
【特許文献１】
特許第２５２８０４６号公報（第３−４頁）
【特許文献２】
特許第２５１８８０１号公報（第６頁、段落番号００１４）
【０００４】
【発明が解決しようとする課題】
しかしながら、従来例は、クランプ機構で遊技機枠を遊技設置構造体に固定する構造であるため、遊技機製造会社から市販される遊技機を貨物自動車で運搬する場合、複数の遊技機どうしを固定することができない。よって、依然として、従来から行われている方法で、複数の遊技機どうしを固定する必要がある。それは、遊技機の下部が上となるように、遊技機の上下を逆さにして、複数の遊技機を貨物自動車の荷台に並べて搭載し、その上から当板を複数の遊技機の上に渡し、当板の上から各遊技機の当板と接触する下部に釘を打ち付ける。この上に渡した当板と釘とで複数の遊技機を固定する方法では、遊技機を遊技店に納入するために貨物自動車から降ろす場合、釘を遊技機と当板とから取り外し、遊技機を荷降ろしするので、荷降ろしした製品である遊技機に釘の抜孔が跡として残り、品質信頼性が悪いという問題点があった。
【０００５】
そこで、本発明は、遊技機の遊技設置構造体への固定と貨物自動車に積載した複数の遊技機どうしの固定との双方に使用できる遊技機固定装置を提供するものである。
【０００６】
【課題を解決するための手段】
本発明にあっては、四角形な額縁状に形成された遊技機枠の上横片と下横片とに上下固定具を個別に備えた遊技機固定装置において、遊技機枠の上横片に設けられた上固定具が、尖端の有る直線棒体の刺具と、刺具の中間部より径方向外側に突出した棒状の突起と、刺具の突起よりも下部を回転可能かつ上下移動可能に支持して上横片の外側面に取り付けられる支持躯体と、刺具を支持躯体に対し上方に付勢する弾性体と、支持躯体に取り付けられた押え体と、押え体に設けられて突起を上下方向に直線的に移動するとともに刺具の回転を規制する案内孔と、押え体に設けられて案内孔の上部に連接された上突起収納凹部とを備え、この上固定具の弾性体の弾力に抗して突起が案内孔と交差する格好で支持躯体と押え体との空間部に収納された場合は刺具の尖端が上横片の上面より上方に突出せず、この突起が支持躯体と押え体との空間部に収納された状態から刺具が回転操作され、突起が案内孔と出合うと、弾性体の弾力で突起が案内孔を下方から上方に移動するのに伴い、刺具の尖端が上横片の上面より上方に突出し、突起が案内孔を下方から上方に抜けた場合に刺具が回転操作され、突起が案内孔と交差する格好で上突起収納凹部に収納されることで、上記刺具の尖端が上横片の上面より上方に突出した格好が保持される一方、遊技機枠の下横片に設けられた下固定具が、尖端の有る直線棒体の刺具と、刺具の中間部より径方向外側に突出した棒状の突起と、刺具の突起よりも上部を回転可能かつ上下移動可能に支持して下横片の外側面に取り付けられる支持躯体と、刺具を支持躯体に対し下方に付勢する弾性体と、支持躯体に取り付けられた押え体と、押え体に設けられて突起を上下方向に直線的に移動するとともに刺具の回転を規制する案内孔と、押え体に設けられて案内孔の上部に連接された下突起収納凹部とを備え、この下固定具の弾性体の弾力に抗して突起が案内孔と交差する格好で支持躯体と押え体との空間部に収納された場合は刺具の尖端が下横片の下面より下方に突出せず、この突起が支持躯体と押え体との空間部に収納された状態から刺具が回転操作され、突起が案内孔と出合うと、弾性体の弾力で突起が案内孔を上方から下方に移動するのに伴い、刺具の尖端が下横片の下面より下方に突出し、突起が案内孔を上方から下方に抜けた場合に刺具が回転操作され、突起が案内孔と交差する格好で下突起収納凹部に収納されることで、上記刺具の尖端が下横片の下面より下方に突出した格好が保持されることによって、遊技機を遊技設置構造体に固定することと、貨物自動車に積載した複数の遊技機を固定することとが、遊技機に固定跡の痕跡の残存しない適切な形態で行える。しかも、上下固定具が上下横片の外側面に設けられているので、上下固定具と上下横片との相互の支持力が向上する。また、本発明にあっては、四角形な額縁状に形成された遊技機枠の上横片または下横片に固定具を備えた遊技機固定装置において、固定具が、尖端の有る直線棒体の刺具と、刺具の中間部より径方向外側に突出した棒状の突起と、刺具の突起よりも下部または上部を回転可能かつ上下移動可能に支持して遊技機枠の上横片または下横片の外側面に取り付けられる支持躯体と、刺具を支持躯体に対し上方または下方に付勢する弾性体と、支持躯体に取り付けられた押え体と、押え体に設けられて突起を上下方向に直線的に移動するとともに刺具の回転を規制する案内孔と、押え体に設けられて案内孔の上部または下部に連接された突起収納凹部とを備え、この固定具の弾性体の弾力に抗して突起が案内孔と交差する格好で支持躯体と押え体との空間部に収納された場合は刺具の尖端が上横片の上面より上方にまたは下横片の下面より下方に突出せず、この突起が支持躯体と押え体との空間部に収納された状態から刺具が回転操作され、突起が案内孔と出合うと、弾性体の弾力で突起が案内孔を下方から上方にまたは上方から下方に移動するのに伴い、刺具の尖端が上横片の上面より上方にまたは下横片の下面より下方に突出し、突起が案内孔を下方から上方にまたは上方から下方に抜けた場合に刺具が回転操作され、突起が案内孔と交差する格好で突起収納凹部に収納されることで、上記刺具の尖端が上横片の上面より上方にまたは下横片の下面より下方に突出した格好が保持されることによって、遊技機を遊技設置構造体に固定することと、貨物自動車に積載した複数の遊技機を固定することとが、遊技機に固定跡の痕跡の残存しない適切な形態で行える。しかも、固定具が上横片または下横片の外側面に設けられているので、固定具と上横片または下横片との相互の支持力が向上する。また、本発明にあっては、突起が刺具の外径方向の両側に設けられれば、支持躯体に対する刺具の姿勢を安定させることができる。また、本発明にあっては、上固定具の刺具が支持躯体より突出した下端部に刺具の外径より大きな外形の頭部を備えれば、または、下固定具の刺具が支持躯体より突出した上端部に刺具の外径より大きな外形の頭部を備えれば、作業者が刺具を回転する場合、頭部を手で掴んで回すことができるので、刺具の回転操作を容易に行うことができる。また、本発明にあっては、支持躯体が上横片または下横片にねじで固定されれば、上下固定具の上横片または下横片への取付強度を向上することができる。
【０００７】
【発明の実施の形態】
図１−図７は第１実施形態である。図１は、遊技機固定装置を分解して示す。
図２は、上固定具２３を分解して示す。図３は、下固定具２４を分解して示す。
図４は、刺具２５の尖端が上横片２１の上面より突出していない形態の断面を示す。図５は、刺具２５の尖端が上横片２１の上面より突出した形態の断面を示す。図６は、遊技機枠１を遊技設置構造体８０に固定した断面を示す。図７は、遊技機を貨物自動車の荷台９０に積み込んだ形態を示す。
【０００８】
図１を参照し、遊技機固定装置について、パチンコ機固定装置を例として、説明する。パチンコ機では、四角形な額縁状に形成された外枠と呼ばれる遊技機枠１が、上ヒンジ２と下ヒンジ３とを備える。四角形な額縁状に形成された前枠や内枠と呼ばれる可動枠４が、上ヒンジ５と下ヒンジ６とを備える。そして、遊技機枠１の上ヒンジ２と可動枠４の上ヒンジ５とが互いにヒンジの回転中心を構成する軸と軸受穴との嵌め合いで回転可能に連結され、遊技機枠１の下ヒンジ３と可動枠４の下ヒンジ６とが互いにヒンジの回転中心を構成する軸と軸受穴との嵌め合いで回転可能に連結されることで、可動枠４が遊技機枠１に左側を回転中心として前側横方向に片開き可能に取り付けられる。遊技機枠１の下部前面には幕板７が結合されているが、図１は、下固定具２４を見せるために幕板７を取り外した状態を示している。
【０００９】
可動枠４は、閉じられると、遊技機枠１に、図外のロック機構で固定される。可動枠４の前部には、窓８を覆うガラスまたは合成樹脂からなる光透過性の有るパネル９を有する前飾りまたはガラス枠と呼ばれる開閉枠１０と、遊技媒体である球を受ける球皿１１と、ハンドルグリップと呼ばれる発射操作機構１２とを備える。開閉枠１０および球皿１１は、可動枠４に、左側の図外のヒンジで前側横方向に片開き可能に取り付けられる。可動枠４の内部には、図外の機構枠やリアプレートと呼ばれる遊技盤収納部構成体と、図外の発射機構とを備える。そして、開閉枠１０が開けられ、遊技盤１３が遊技盤収納部構成体で形成された収納室に格納された後、開閉枠１０が閉じられて可動枠４に図外のロック機構で固定される。球皿１１は、閉じられると、可動枠４に、図外のロック機構で固定される。
【００１０】
パチンコ機固定装置は、遊技機枠１の上横片２１と下横片２２とに個別に設けられる上下固定具２３；２４を備える。図２にも示すように、上固定具２３は、刺具２５と、突起２６と、頭部２７と、支持躯体２８と、弾性体２９と、押え体３０と、案内孔３１と、上突起収納凹部３２とを備える。刺具２５は、尖端の有る直線棒体である。突起２６は、刺具２５の中間部より径方向外側に突出した棒状になっている。突起２６は、刺具２５の中心と直交する直線上で外径方向の両側に設けられる。
【００１１】
刺具２５の突起２６より下部の端面には、端面の中心より内部に行き止まりのねじ孔なる結合部３３が形成される。ねじ孔は、孔の内周面に雌ねじの形成された孔である。頭部２７は、刺具２５の下端部の外径より大きな外形の円板である。頭部２７の外周面は、作業者の手による操作性をよくするために、ローレット加工による周方向に連続した波形状の凹凸に形成される。頭部２７の上面の中心には、直線的な丸棒状の外周面に雄ねじの形成された結合部３４が頭部２７の上面より上方に突出する格好で設けられる。
【００１２】
支持躯体２８は、刺具２５の突起２６よりも下部を回転可能かつ上下移動可能に支持して上横片２１の外側面に取り付けられる。支持躯体２８は、中央部に上方および前後に開放された収容凹部３５を備える。収容凹部３５の底壁には、刺具挿入孔３６が形成される。支持躯体２８は、収容凹部３５の左右に押え収容部４０を備える。収容凹部３５の左右方向で相対峙する縦壁間の内法（左右方向の幅）は、刺具２５の突起２６よりも下部が刺具挿入孔３６に挿入された場合に、突起２６が回転可能な寸法になっている。
【００１３】
押え収容部４０は、収容凹部３５の左右の縦壁より横方向外側に突出する底部と、底部より上方に延長する側壁とによる窪みとして形成される。押え収容部４０の底部と側壁との連接部分には溝４１が形成されている。溝４１は、押え収容部４０の前方および左右に開放されているが、後部で行き止まりになっている。
溝４１は、互いに向き合う側面と前方とに開放された形状であれば、収容凹部３５と押え収容部４０との連接剛性が向上する。
【００１４】
押え収容部４０の左右には、押え収容部４０の側壁より外側に直角に折り曲げられた板状の取付部３７を備える。取付部３７には、取付孔３８が形成される。取付孔３８は皿孔である。弾性体２９は、刺具２５を支持躯体２８に対し上方に付勢するコイルスプリングにより形成される。押え体３０は、支持躯体２８における左右の押え収容部４０にわたって取り付けられる板状である。押え体３０の左右側面には、当該左右側面より外側に突出する係合突起４２を備える。案内孔３１は、押え体３０に設けられ、突起２６を上下方向に直線的に移動し、突起２６が案内孔３１に配置されることで、刺具２５の回転を規制する平面視長方形を呈する角穴である。
【００１５】
上突起収納凹部３２は、押え体３０に設けられ、案内孔３１の上部に同軸状（中心が同じである形態）に連接される。上突起収納凹部３２は、押え体３０の上面（外側面）に開放され、案内孔３１の中心と同軸な円形な窪みであって、刺具２５の突起２６より上部が案内孔３１に配置されて、刺具２５が回転操作された場合に、窪みの直径は突起２６が回転し得る大きさである。
【００１６】
上固定具２３は、次のように組み立てられる。弾性体２９が支持躯体２８の収容凹部３５における底壁の上に置かれ、刺具２５の下部が収容凹部３５の上方から弾性体２９の内部空間を経由して刺具挿入孔３６に挿入される。これによって、弾性体２９が刺具２５の突起２６よりも結合部３３の側における部分を接触せずに取り囲み、弾性体２９の上端部が突起２６の下面に接触し、弾性体２９の下端部が収容凹部３５における底壁の上面に接触する。
【００１７】
その後、頭部２７の結合部３４と支持躯体２８の刺具挿入孔３６より下方に突出した刺具２５の結合部３３とが互いに締結される。これによって、刺具２５が持ち上げられた場合、頭部２７が支持躯体２８に接触し、刺具２５が支持躯体２８から抜けることはない。これと並行し、刺具２５が下方に押圧され、刺具２５の尖端が溝４１よりも下方に位置された状態において、押え体３０の係合突起４２が支持躯体２８の前側から溝４１に嵌め込まれる。
【００１８】
このように左右の係合突起４２が左右の溝４１に嵌め込まれた場合、溝４１の後部が行き止まりになっているので、係合突起４２の後部が溝４１の行き止まりとなった押え収容部４０の側壁に前方から後方に向けて突き当たり、押え体３０が支持躯体２８に装着される。そして、押え体３０が支持躯体２８の押え収容部４０に装着された後、上記刺具２５から上記下方への押圧が解除される。
【００１９】
これによって、弾性体２９の弾力が突起２６を上方に押し上げるのに伴い、刺具２５の尖端が押え体３０の案内孔３１に挿入される。この場合、突起２６が案内孔３１と交差する格好で押え体３０の案内孔３１周り下面に接触する。これによって、弾性体２９の弾力が突起２６を押え体３０の下面に押し当てるとともに係合突起４２の上面を溝４１の上面に押し当てる。このため、押え体３０が支持躯体２８から離脱されず、上固定具２３の組み立てられた形態が保持される。
【００２０】
このように組み立てられた上固定具２３は、次のように上横片２１に取り付けられる。上横片２１は、取付受部４３と段差受部４４と逃部４５とを備える。取付受部４３は、支持躯体２８の取付部３７を収容するものであって、上横片２１の外側面（上面）より内部への窪みである。取付受部４３には、取付ねじ３９を締結するための下穴４６が形成される。段差受部４４は、支持躯体２８の押え収容部４０を収容するものであって、取付受部４３の底部中央より上横片２１の内部への窪みである。逃部４５は、支持躯体２８の収容凹部３５を逃げるために、段差受部４４の底部中央と上横片２１の内側面（上面）とに貫通する孔である。
【００２１】
そして、上記組み立てられた上固定具２３の収容凹部３５が上横片２１の上方より逃部４５に挿入され、上固定具２３の押え収容部４０が上横片２１の段差受部４４に取り込まれ、上固定具２３の取付部３７が上横片２１の取付受部４３に搭載される。これによって、上固定具２３の支持躯体２８および押え体３０が上横片２１の取付受部４３や段差受部４４および逃部４５などを囲む壁面で取り囲まれるので、支持躯体２８と押え体３０とが互いに分離しないように上横片２１で保持される。
【００２２】
その状態において、取付ねじ３９である皿頭付き木ねじが上固定具２３の取付孔３８から上横片２１の下穴４６を経由して上横片２１に締結される。これによって、上固定具２３が上横片２１の外側面に取り付けられる。このように取り付けられた場合、取付ねじ３９の皿頭、上固定具２３の刺具２５や取付部３７および押え体３０が上横片２１の上面より上方に突出しないように、上記取付受部４３の上横片２１からの深さおよび段差受部４４の上横片２１からの深さは設定されている。
【００２３】
このように上横片２１の外側に配置されて上横片２１に取り付けられた上固定具２３にあっては、図４に示すように、弾性体２９の弾力に抗し、突起２６が案内孔３１と交差する格好で支持躯体２８の収容凹部３５と押え体３０の下面とで囲まれた空間部に収容されて押え体３０の下面に接触し、刺具２５の尖端が少なくとも上突起収納凹部３２に配置されて上横片２１の上面より上方に突出しない。このように突起２６が案内孔３１と交差する格好で支持躯体２８の収容凹部３５と押え体３０の下面とで囲まれた空間部に収容された場合、刺具２５の尖端における軸心方向の寸法の設定により、刺具２５の尖端は、上突起収納凹部３２にだけ配置される場合と、上突起収納凹部３２と案内孔３１とに配置される場合とがある。
【００２４】
突起２６が支持躯体２８の収容凹部３５と押え体３０の下面とで囲まれた空間部に収納された状態から刺具２５が回転操作され、突起２６が案内孔３１と出合うと、弾性体２９の弾力で突起２６が案内孔３１を下方から上方に移動するのに伴い、刺具２５の尖端が上横片２１の上面より上方に突出する。そして、突起２６が案内孔３１に取り込まれることによって、弾性体２９の上端が押え体３０の下面に接触し、刺具２５が弾性体２９の弾力から解放される。
【００２５】
この突起２６の移動中において、突起２６が案内孔３１に配置されている間は、刺具２５が軸心周りに回転操作されても、突起２６が案内孔３１の孔壁面（案内孔３１を囲む壁面）に突き当たり刺具２５の回転は規制される。そして、図５に示すように、突起２６が案内孔３１を下方から上方に抜けた後、刺具２５が回転操作された状態において、刺具２５の自重によって突起２６が案内孔３１と交差する格好で上突起収納凹部３２に収納されると、上記刺具２５の尖端が上横片２１の上面より上方に突出した格好が保持される。
【００２６】
図３にも示すように、下固定具２４は、刺具５５と、突起５６と、頭部５７と、支持躯体５８と、弾性体５９と、押え体６０と、案内孔６１と、下突起収納凹部６２とを備える。刺具５５は、尖端の有る直線棒体である。突起５６は、刺具５５の中間部より径方向外側に突出した棒状になっている。突起５６は、刺具５５の中心と直交する直線上で外径方向の両側に設けられる。
【００２７】
刺具５５の突起５６より上部の端面には、端面の中心より内部に行き止まりのねじ孔なる結合部６３が形成される。ねじ孔は、孔の内周面に雌ねじの形成された孔である。頭部５７は、刺具５５の上端部の外径より大きな外形の円板である。頭部５７の外周面は、作業者の手による操作性をよくするために、ローレット加工による周方向に連続した波形状の凹凸に形成される。頭部５７の下面の中心には、直線的な丸棒状の外周面に雄ねじの形成された結合部６４が頭部５７の下面より下方に突出する格好で設けられる。
【００２８】
支持躯体５８は、刺具５５の突起５６よりも上部を回転可能かつ上下移動可能に支持して下横片２２の外側面に取り付けられる。支持躯体５８は、中央部に下方および前後に開放された収容凹部６５を備える。収容凹部６５の蓋壁には、刺具挿入孔６６が形成される。支持躯体５８は、収容凹部６５の左右に押え収容部７０を備える。収容凹部６５の左右方向で相対峙する縦壁間の内法（左右方向の幅）は、刺具５５の突起５６よりも上部が刺具挿入孔６６に挿入された場合に、突起５６が回転可能な寸法になっている。
【００２９】
押え収容部７０は、収容凹部６５の左右の縦壁より横方向外側に突出する底部と、底部より下方に延長する側壁とによる窪みとして形成される。押え収容部７０の底部と側壁との連接部分には溝７１が形成されている。溝７１は、押え収容部７０の前方および左右に開放されているが、後部で行き止まりになっている。
溝７１は、互いに向き合う側面と前方とに開放された形状であれば、収容凹部６５と押え収容部７０との連接剛性が向上する。
【００３０】
押え収容部７０の左右には、押え収容部７０の側壁より外側に直角に折り曲げられた板状の取付部６７を備える。取付部６７には、取付孔６８が形成される。
取付孔６８は皿孔である。弾性体５９は、刺具５５を支持躯体５８に対し下方に付勢するコイルスプリングにより形成される。押え体６０は、支持躯体５８における左右の押え収容部７０にわたって取り付けられる板状である。押え体６０の左右側面には、当該左右側面より外側に突出する係合突起７２を備える。案内孔６１は、押え体６０に設けられ、突起５６を上下方向に直線的に移動し、突起５６が案内孔６１に配置されることで、刺具５５の回転を規制する平面視長方形を呈する角穴である。
【００３１】
下突起収納凹部６２は、押え体６０に設けられ、案内孔６１の下部に同軸状に連接される。下突起収納凹部６２は、押え体６０の下面（外側面）に開放され、案内孔６１の中心と同軸な円形な窪みであって、刺具５５の突起５６より下部が案内孔６１に配置されて、刺具５５が回転操作された場合に、窪みの直径は突起５６が回転し得る大きさである。
【００３２】
下固定具２４は、次のように組み立てられる。弾性体５９が支持躯体５８の収容凹部６５における蓋壁の下に置かれ、刺具５５の上部が収容凹部６５の下方から弾性体５９の内部空間を経由して刺具挿入孔６６に挿入される。これによって、弾性体５９が刺具５５の突起５６よりも結合部６３の側における部分を接触せずに取り囲み、弾性体５９の下端部が突起５６の上面に接触し、弾性体５９の上端部が収容凹部６５における蓋壁の下面に接触する。
【００３３】
その後、頭部５７の結合部６４と支持躯体５８の刺具挿入孔６６より上方に突出した刺具５５の結合部６３とが互いに締結される。これによって、刺具５５が下降した場合、頭部５７が支持躯体５８に接触し、刺具５５が支持躯体５８から抜けることはない。これと並行し、刺具５５が上方に押圧され、刺具５５の尖端が溝７１よりも上方に位置された状態において、押え体６０の係合突起７２が支持躯体５８の前側から溝７１に嵌め込まれる。
【００３４】
このように左右の係合突起７２が左右の溝７１に嵌め込まれた場合、溝７１の後部が行き止まりになっているので、係合突起７２の後部が溝７１の行き止まりとなった押え収容部７０の側壁に前方から後方に向けて突き当たり、押え体６０が支持躯体５８に装着される。そして、押え体６０が支持躯体５８の押え収容部７０に装着された後、上記刺具５５から上記上方への押圧が解除される。
【００３５】
これによって、弾性体５９の弾力が突起５６を下方に押し下げるのに伴い、刺具５５の尖端が押え体６０の案内孔６１に挿入される。この場合、突起５６が案内孔６１と交差する格好で押え体６０の案内孔６１周り上面に接触する。これによって、弾性体５９の弾力が突起５６を押え体６０の上面に押し当てるとともに係合突起７２の下面を溝７１の下面に押し当てる。このため、押え体６０が支持躯体５８から離脱されず、下固定具２４の組み立てられた形態が保持される。
【００３６】
このように組み立てられた下固定具２４は、次のように下横片２２に取り付けられる。下横片２２は、取付受部７３と段差受部７４と逃部７５とを備える。取付受部７３は、支持躯体５８の取付部６７を収容するものであって、下横片２２の外側面（下面）より内部への窪みである。取付受部７３には、取付ねじ６９を締結するための下穴７６が形成される。段差受部７４は、支持躯体５８の押え収容部７０を収容するものであって、取付受部７３の底部中央より下横片２２の内部への窪みである。逃部７５は、支持躯体５８の収容凹部６５を逃げるために、段差受部７４の底部中央と下横片２２の内側面（下面）とに貫通する孔である。
【００３７】
そして、上記組み立てられた下固定具２４の収容凹部６５が下横片２２の下方より逃部７５に挿入され、下固定具２４の押え収容部７０が下横片２２の段差受部７４に取り込まれ、下固定具２４の取付部６７が下横片２２の取付受部７３に搭載される。これによって、下固定具２４の支持躯体５８および押え体６０が下横片２２の取付受部７３や段差受部７４および逃部７５などを囲む壁面で取り囲まれるので、支持躯体５８と押え体６０とが互いに分離しないように下横片２２で保持される。
【００３８】
その状態において、取付ねじ６９である皿頭付き木ねじが下固定具２４の取付孔６８から下横片２２の下穴７６を経由して下横片２２に締結される。これによって、下固定具２４が下横片２２の外側面に取り付けられる。このように取り付けられた場合、取付ねじ３９の皿頭、下固定具２４の刺具５５や取付部６７および押え体６０が下横片２２の下面より下方に突出しないように、上記取付受部７３の下横片２２からの深さおよび段差受部７４の下横片２２からの深さは設定されている。
【００３９】
このように下横片２２の外側に配置されて下横片２２に取り付けられた下固定具２４にあっては、図６のａ図に示すように、弾性体５９の弾力に抗し、突起５６が案内孔６１と交差する格好で支持躯体５８の収容凹部６５と押え体６０の上面とで囲まれた空間部に収容されて押え体６０の下面に接触し、刺具５５の尖端が少なくとも下突起収納凹部６２に配置されて下横片２２の下面より下方に突出しない（この刺具５５の尖端が突出しない形態が図４に相当することは、図４の符号を読み替えることによって理解できるであろう）。このように突起５６が案内孔６１と交差する格好で支持躯体５８の収容凹部６５と押え体６０の上面とで囲まれた空間部に収容された場合、刺具５５の尖端における軸心方向の寸法の設定により、刺具５５の尖端は、下突起収納凹部６２にだけ配置される場合と、下突起収納凹部６２と案内孔６１とに配置される場合とがある。
【００４０】
突起５６が支持躯体５８の収容凹部６５と押え体６０の上面とで囲まれた空間部に収納された状態から刺具５５が回転操作され、突起５６が案内孔６１と出合うと、弾性体５９の弾力で突起５６が案内孔６１を上方から下方に移動するのに伴い、刺具５５の尖端が下横片２２の下面より下方に突出する。そして、突起５６が案内孔６１に取り込まれると、弾性体５９の下端が押え体６０の上面に接触し、刺具５５が弾性体５９の弾性から解放される。
【００４１】
この突起５６の移動中において、突起５６が案内孔６１に配置されている間は、刺具５５が軸心周りに回転操作されても、突起５６が案内孔６１の孔壁面（案内孔６１を囲む壁面）に突き当たり刺具５５の回転は規制される。そして、図６のｂ図に示すように、突起５６が案内孔６１を上方から下方に抜けた後、刺具５５が回転操作された状態において、刺具５５の自重によって、突起５６が案内孔６１と交差する格好で下突起収納凹部６２に収納されると、上記刺具５５の尖端が下横片２２の下面より下方に突出した格好が保持される（この保持された形態が図５に相当することは、図５の符号を読み替えることによって理解できるであろう）。
【００４２】
図６を参照し、遊技機枠１を遊技設置構造体８０に取り付ける場合について説明する。図６のａ図に示すように、上固定具２３の刺具２５の尖端が上横片２１の上面より上方に突出しておらず、下固定具２４の刺具５５の尖端が下横片２２の下面より下方に突出していないように、上固定具２３および下固定具２４が設定される。
【００４３】
このように上固定具２３および下固定具２４の刺具２５；５５が上横片２１または下横片２２より突出していない状態において、遊技機枠１が遊技設置構造体８０の支持台８１と横桟８２との間の空間に配置され、遊技機枠１の下横片２２が支持台８１の上に載せられ、遊技機枠１の上横片２１が横桟８２の下面に接触するかまたは接触する程度で対向させられる。このように、上固定具２３および下固定具２４を有する遊技機枠１が遊技設置構造体８０の支持台８１と横桟８２との間の空間に配置された場合、上固定具２３が上横片２１の上面より上方に突出しないで上横片２１の内部に収められているので、上横片２１と横桟８２との間に上固定具２３による隙間が形成されることはない。
【００４４】
また、下固定具２４が下横片２２の下面より下方に突出しないで下横片２２の内部に収められているので、下横片２２と支持台８１との間に下固定具２４による隙間が形成されることはない。次に、図６のｂ図に示すように、作業者が下固定具２４の頭部５７を回転操作する。この回転操作に伴い、突起５６が案内孔６１に取り込まれるように案内孔６１と出合うと、弾性体５９の弾力が突起５６を通して刺具５５に作用し、刺具５５が弾性体５９の弾力で下方に押し下げられる。
【００４５】
引き続き、作業者が頭部５７を手またはハンマーのような工具で直接的に下方に向けて押圧すると、突起５６が案内孔６１を上方から下方に移動して案内孔６１から抜け出る。このように刺具５５が押し下げられるのに伴い、刺具５５の尖端および突起５６よりも下部が支持台８１に打ち込まれる。その状態において、作業者が頭部５７を例えば９０度の回転運動範囲内で回転操作する。これによって、突起５６が案内孔６１と交差する格好となりつつ下突起収納凹部６２に配置される。
【００４６】
これと並行し、作業者が上固定具２３の頭部２７を回転操作する。この回転操作に伴い、突起２６が案内孔３１に取り込まれるように案内孔３１と出合うと、弾性体２９の弾力が突起２６を通して刺具２５に作用し、刺具２５が弾性体２９の弾力で上方に押し上げられる。引き続き、作業者が頭部２７を手またはハンマーのような工具で直接的に上方に向けて押圧すると、突起２６が案内孔３１を下方から上方に移動して案内孔３１から抜け出る。このように刺具２５が押し上げられるのに伴い、刺具２５の尖端および突起２６よりも上部が横桟８２に打ち込まれる。
【００４７】
その状態において、作業者が頭部２７を例えば９０度の回転運動範囲内で回転操作する。これによって、突起２６が案内孔３１と交差する格好となりつつ上突起収納凹部３２に配置される。この結果、遊技機枠１が上固定具２３および下固定具２４で遊技設置構造体８０に取付けられた場合、上横片２１と横桟８２との間に上固定具２３による隙間が生じておらず、下横片２２と支持台８１との間に下固定具２４による隙間が生じていない。よって、遊技機枠１の前側から上横片２１と横桟８２との間や下横片２２と支持台８１との間を経由して遊技機枠１の裏側にピアノ線のような不正操作体を挿入されるようなこともない。
【００４８】
図７を参照し、遊技機を貨物自動車で貨物自動車の荷台９０に積み込む場合について説明する。図７のａ図に示すように、貨物自動車の荷台９０には敷物９１が置かれる。敷物９１は上面に遊技機枠１の下部を嵌め込むための受容部９２を備える。そして、作業者が遊技機枠１と可動枠４とが互いに組み合わされた遊技機を荷台９０に載せる場合、遊技機枠１の下横片２２が敷物９１の受容部９２に上方より嵌め込まれる。上記遊技機枠１と組み合わされた可動枠４には、既に、図１に示すような、上下ヒンジ５；６、窓８、パネル９、開閉枠１０、球皿１１、発射操作機構１２、遊技盤１３などの遊技機を完成するために必要な部品が取り付けられている。つまり、貨物自動車に積み込まれる遊技機は、遊技機製造会社から遊技店に販売される製品である。
【００４９】
その後、作業者が上固定具２３の頭部２７を回転操作する。この回転操作に伴い、突起２６が案内孔３１に取り込まれるように案内孔３１と出合うと、弾性体２９の弾力が突起２６を通して刺具２５に作用し、刺具２５が弾性体２９の弾力で上方に押し上げられる。その状態において、作業者が頭部２７を押し上げるのに伴い、突起２６が案内孔３１を下方から上方に移動して案内孔３１から抜け出る。引き続き、作業者が頭部２７を例えば９０度の回転運動範囲内で回転操作する。これによって、突起２６が案内孔３１と交差する格好となりつつ上突起収納凹部３２に配置される。このように荷台９０に載せるべき数の複数の遊技機が縦置きで互いに離された状態で荷台９０に搭載される。
【００５０】
次に、図７のｂ図に示すように、作業者が複数の遊技機に差し渡される大きさの帯板状の当板９３を各遊技機における遊技機枠１より上方に突出している刺具２５の尖端にあてがう。その後、作業者が当板９３を手またはハンマーのような工具で直接的に押し下げることによって、各遊技機枠１における上固定具２３の刺具２５の尖端および突起２６よりも上部が当板９３に打ち込まれる。
【００５１】
このように当板９３が工具で叩かれることで、刺具２５が当板９３に打ち込まれる場合、上固定具２３における支持躯体２８の取付部３７および押え収容部４０が上横片２１の取付受部４３および段差受部４４で受け止められているので、上記当板９３から刺具２５を経由して上固定具２３に加わる叩き力である外力は、上固定具２３を上横片２１に取り付けている取付ねじ３９に加わることなく、上横片２１で負担される。よって、上記外力で上固定具２３が上横片２１から脱落するような不都合も生じない。
【００５２】
第１実施形態の構造によれば、図１に示すように、上固定具２３が上横片２１におけるブラケット９５に近い位置で左右に設けられているので、遊技機枠１が上固定具２３で図６の遊技設置構造体８０または図７の当板９３に固定された場合、遊技機枠１が遊技設置構造体８０または当板９３に回転しないように安定した姿勢で取り付けられる。また、図１に示すように、下固定具２４が下横片２２におけるブラケット９５に近い位置で左右に設けられているので、遊技機枠１が下固定具２４で図６の遊技設置構造体８０に固定された場合、遊技機枠１が遊技設置構造体８０に回転しないように安定した姿勢で取り付けられる。上固定具２３および下固定具２４は、両方が複数でもよいが、いずれか一方が１個でもよい。その場合、上固定具２３または下固定具２４が上横片２１または下横片２２の左右方向中央に１個設けられれば、遊技機枠１の取付姿勢安定の点から好ましい。
【００５３】
上固定具２３においては、図４に示すように、突起２６が弾性体２９の弾力に抗し弾性体２９を圧縮して案内孔３１と交差する格好で上突起収納凹部３２に収納されることによって、刺具２５の尖端が上横片２１の上面より上方に突出していない。つまり、弾性体２９の弾力下で、突起２６が案内孔３１と交差する格好で上突起収納凹部３２に収納された場合、遊技機枠１に振動が加えられたとしても、係る振動を弾性体２９が吸収し、突起２６が上突起収納凹部３２の上面に接触した状態が保持される。よって、刺具２５が上記振動に起因して周方向に回転することがなく、突起２６が案内孔３１と出合うことがなく、刺具２５の尖端が上横片２１より上方に不用意に突出するような不都合は防止することができる。
【００５４】
また、突起２６が、案内孔３１と交差する格好で上突起収納凹部３２に収納されている状態から、刺具２５が回転操作されることによって、突起２６が案内孔３１と出合うのに伴い、弾性体２９の弾力で突起２６が案内孔３１を下方から上方に移動し、刺具２５の尖端が上横片２１の上面より上方に突出する。そして、図５に示すように、突起２６が案内孔３１を下方から上方に抜けたところで、刺具２５が回転操作されることによって、突起２６が案内孔３１と交差する格好で上突起収納凹部３２に収納される。これによって、刺具２５の尖端が上横片２１より上方に突出した格好が保持される。したがって、刺具２５の尖端が図６のｂ図に示すように遊技設置構造体８０の横桟８２に打ち込まれた形態が、または、刺具２５の尖端が図７のｂ図に示すように当板９３に打ち込まれた形態が適切に維持される。
【００５５】
この刺具２５の上横片２１より突出した形態が保持されることによって、特に、図７のｂ図に示すように、貨物自動車の荷台９０に積載した複数の遊技機を当板９３で固定する場合、刺具２５が上横片２１より突出したまま、当板９３が刺具２５の尖端にあてがわれて上方より例えばハンマーで当板９３を局所的に叩くことで、刺具２５の尖端が当板９３に食い込むので、積載の作業が行い易い。
【００５６】
下固定具２４において、刺具５５の下横片２２の下面より突出していない形態が保持されること、刺具５５の下横片２２の下面より突出した形態が保持されることによる効果は、上固定具２３と同様である。とりわけ、下固定具２４の刺具５５の下横片２２の下面より突出していない形態が保持されることによって、複数の遊技機を貨物自動車の荷台９０に積載した場合、刺具５５が荷台９０に不用意に突き刺さるような不都合を防止することができる。
【００５７】
頭部２７；５７の結合部３４；６４と刺具２５；５５の結合部３３；６３とが互いに締結されることによって、刺具２５；５５の外径よりも大きな外形の頭部２７；５７が刺具２５；５５の支持躯体２８；５８より突出した上部または下部に結合されているので、刺具２５；５５の回転操作が行い易い。支持躯体２８；５８が上横片２１または下横片２２に取付ねじ３９；６９で固定されているので、上下固定具２３；２４の取付作業が容易であるばかりでなく、取付ねじ３９；６９の雄ねじが上横片２１または下横片２２に食い込むので、釘で支持躯体２８；５８を上横片２１または下横片２２に取り付けた場合に比べ、上下固定具２３；２４の取付強度が高い。
【００５８】
突起２６；５６が刺具２５；５５の外径方向の両側に設けられたので、突起２６；５６が上下突起収納凹部３２；６２に収納された場合、突起２６；５６が上突起収納凹部３２の下面または下突起収納凹部６２の上面に接触して刺具２５；５５を倒れないように両側から支える。よって、支持躯体２８；５８に対する刺具２５；５５の姿勢が安定する。
【００５９】
複数の遊技機を当板９３で固定する場合、刺具２５が上横片２１より突出したまま、当板９３が刺具２５の尖端にあてがわれて上方より例えばハンマーで当板９３を局所的に叩くことで、刺具２５の尖端が当板９３に食い込むので、積載の作業が行い易い。
【００６０】
敷物９１は使用しなくてもよいが、敷物９１を使用すれば、遊技機が荷台９０に安定搭載される。図１の符号９５は、遊技機枠１の４隅で上横片２１と左右の縦片とを結合し、下横片２２と左右の縦片とを結合するブラケットである。図６では遊技機枠１の上下方向の寸法つまり遊技機枠１の高さが縮小されている。
【００６１】
図４において、上固定具２３が上横片２１に取り付けられた場合、支持躯体２８の取付部３７および押え収容部４０が取付受部４３および段差受部４４の双方で受け止められたが、取付部３７が取付受部４３に受け止められていれば、押え収容部４０は段差受部４４で受け止められていなくてもよい。
【００６２】
図８および図９は第２実施形態である。図８は、上固定具２３を分解して示す。図９は、刺具２５の尖端が上横片２１の上面より突出していない形態の断面を示す。図８において、支持躯体２８は収容凹部３５の左右の縦壁より外側に直角に折り曲げられた取付部３７を備える。取付部３７に設けられる取付孔３８は貫通孔である。押え体３０は左右の取付部３７にわたる板状であって、左右の側部に皿穴として形成された取付孔９８を備える。上横片２１には、上面より内部に窪む取付受部４３および取付受部４３の底部と上横片２１の下面とに貫通する逃部４５を備える。
【００６３】
そして、支持躯体２８の収容凹部３５の内部には弾性体２９が搭載され、刺具２５の突起２６よりも下部が弾性体２９の内部を経由して刺具挿入孔３６に挿入され、収容凹部３５より下方に突出した刺具２５の結合部３３には頭部２７の結合部３４が取り付けられる。これと並行し、支持躯体２８の収容凹部３５が上横片２１の上方より逃部４５に挿入され、左右の取付部３７が取付受部４３に搭載される。その後、押え体３０が案内孔３１に刺具２５の尖端を挿入する格好で上横片２１の上方より左右の取付部３７に搭載される。次に、取付ねじ３９が押え体３０の取付孔９８から支持躯体２８の取付孔３８を経由して上横片２１の下穴４６に締結される。これによって上固定具２３は図９に示すように上横片２１に取り付けられる。
【００６４】
このように上固定具２３が上横片２１に取り付けられた場合、刺具２５の突起２６が案内孔３１と交差する格好で支持躯体２８の収容凹部３５と押え体３０の下面とで囲まれた空間部に配置されることによって、弾性体２９の弾力が突起２６を持ち上げ、突起２６が押え体３０の下面に受け止められる。このように突起２６が押え体３０で受け止められた場合、刺具２５の尖端は上横片２１の上面より上方には突出しない。上固定具２３が上横片２１に取り付けられた場合、取付ねじ３９の皿頭、上固定具２３の刺具２５や取付部３７および押え体３０が上横片２１の上面より上方に突出しないように、上記取付受部４３の上横片２１からの深さは設定されている。したがって、第２実施形態によれば、上固定具２３が図３に示す押え収容部４０、溝４１、係合突起４２、段差受部４４を備えない簡素な構造である。
【００６５】
図１０−図１２は第３実施形態である。図１０は押え体３０の外観を示す。図１１は押え体３０の平面を示す。図１２は上固定具２３の断面を示す。図１０および図１１に示すように、押え体３０における上突起収納凹部３２の上面には突起受溝１０１が案内孔３１と交差する格好に形成される。そして、図１２に示すように、刺具２５が弾性体２９からの弾力より開放され、突起２６が上突起収納凹部３２に配置された場合において、刺具２５が回転操作され、突起２６が突起受溝１０１と位置が合い、上記回転操作する力が刺具２５から解除され、刺具２５が自重で下方に落下し、突起２６が突起受溝１０１に押し込まれると、押え体３０に対する刺具２５の回転が阻止される。したがって、突起２６が突起受溝１０１に押し込まれていると、刺具２５が不用意に回転しないので、突起２６が案内孔３１と向き合って案内孔３１に引き込まれることがない。よって、図７に示すように、刺具２５の尖端が遊技機枠１よりも上方に突出し、当該刺具２５の尖端に当板９３を上からあてがった状態において、当板９３を上から叩いて、刺具２５の尖端を当板９３の内部に打ち込む作業がやり易くなる。
【００６６】
第３実施形態の突起受溝１０１を設ける代わりに、弾性体２９の外形を突起２６の横幅よりも細く形成し、突起２６が上突起収納凹部３２に配置された場合において、弾性体２９の上部が案内孔３１に挿入して突起２６を下から支えることで、前記突起２６が案内孔３１と向き合って案内孔３１に引き込まれることがないようにしてもよい。
【００６７】
第１−第３実施形態では、上固定具２３と下固定具２４とを同じ構造で形成し、その同一形態の固定具を上固定具２３として上横片２１に取り付け、当該同一形態の固定具を下固定具２４として下横片２２に取り付けてもよい。このように同一形態の固定具を上横片２１と下横片２２とに取り付ければ、上固定具２３と下固定具２４とのコストダウンを図ることができる。また、押え体３０の下面に上突起収容凹部３２と対称な下突起収容凹部を設ければ、収容凹部３５の横幅を小さくできるとともに上固定具２３の上下寸法を小形化することができる。押え体６０の上面に下突起収容凹部６２と対称な上突起収容凹部を設ければ、収容凹部６５の横幅を小さくできるとともに下固定具２４の上下寸法を小形化することができる。
【００６８】
図示は省略するが、遊技機枠１に上固定具２３または下固定具２４のいずれか一方を設けるだけでもよい。例えば、図７に示すように、遊技機枠１の下部を貨物自動車の荷台９０に搭載し、当板９３を遊技機枠１の上部にあてがう場合は、遊技機枠１に上固定具２３を設ける。これとは逆に、遊技機枠１の上下を逆さにし、遊技機枠１の上部を貨物自動車の荷台９０に搭載し、当板９３を遊技機枠１の下部にあてがう場合は、遊技機枠１に下固定具２４を設ける。そして、図６に示すように、遊技機枠１を遊技設置構造体８０に取り付ける場合、遊技機枠１における上固定具２３または下固定具２４の存在しない方の下横片２２または上横片２１は釘で遊技設置構造体８０に打ち付けるか、または、上固定具２３または下固定具２４の存在しない方の下横片２２または上横片２１に上固定具２３または下固定具２４を取り付け、当該取り付けた上固定具２３または下固定具２４を遊技設置構造体８０に打ち付ければよい。この場合、上固定具２３または下固定具２４を固定具と読み替え、上突起収納凹部３２または下突起収納凹部６２を突起収納凹部と読み替えることも可能である。
【図面の簡単な説明】
【図１】第１実施形態の遊技機固定装置を示す分解斜視図。
【図２】第１実施形態の上固定具を示す分解斜視図。
【図３】第１実施形態の下固定具を示す分解斜視図。
【図４】第１実施形態の刺具の引っ込んだ形態を示す断面図。
【図５】第１実施形態の刺具の突出した形態を示す断面図。
【図６】第１実施形態の遊技機枠を遊技設置構造体に取り付ける場合であって、ａ図は固定前の断面図、ｂ図は固定後の断面図。
【図７】第１実施形態の遊技機を貨物自動車に積載する場合であって、ａ図は固定前の側面図、ｂ図は固定後の側面図。
【図８】第２実施形態の上固定具を示す分解斜視図。
【図９】第２実施形態の刺具の引っ込んだ形態を示す断面図。
【図１０】第３実施形態の押え体を示す斜視図。
【図１１】第３実施形態の押え体を示す平面図。
【図１２】第３実施形態の上固定具を示す断面図。
【符号の説明】
１  遊技機枠
２１；２２  上下横片
２３；２４  上下固定具
２５；５５  刺具
２６；５６  突起
２７；５７  頭部
２８；５８  支持躯体
２９；５９  弾性体
３０；６０  押え体
３１；６１  案内孔
３２  上突起収納凹部
３９；６９  取付ねじ（ねじ）
６２  下突起収納凹部
【図１】
2005058261.tif 000003
【図２】
2005058261.tif 000004
【図３】
2005058261.tif 000005
【図４】
2005058261.tif 000006
【図５】
2005058261.tif 000007
【図６】
2005058261.tif 000008
【図７】
2005058261.tif 000009
【図８】
2005058261.tif 000010
【図９】
2005058261.tif 000011
【図１０】
2005058261.tif 000012
【図１１】
2005058261.tif 000013
【図１２】
2005058261.tif 000014